(57)【要約】イオントラップを有するイオントラップ分光計システムを動作させる方法が提供される。本方法は、ａ）第１の検体を含むイオン群を提供することと、ｂ）第１の検体以外のイオンを除去することによって、フィルタリングされた第１の検体を提供することと、ｃ）フィルタリングされた第１の検体をイオントラップ内に格納することと、ｄ）第１の較正用イオン集合をイオントラップ内に格納することであって、第１の較正用イオン集合は、既知の電荷質量比を有する少なくとも１つの較正用イオンを有することと、ｅ）フィルタリングされた第１の検体および第１のイオン集合をイオントラップから透過させることと、ｆ）第１の検体質量信号ピークを発生させ、各較正用イオンを検出し、関連する較正用質量信号ピークを発生させることと、ｇ）既知の電荷質量比と、較正用質量信号ピークとを比較することによって、第１の質量信号を較正することと、を含む。
2010537172.tif 000002
【特許請求の範囲】
【請求項１】
イオントラップを有するイオントラップ分光計システムを動作させる方法であって、該方法は、
ａ）分析のために、イオン群を提供することであって、該イオン群は第１の検体を含む、ことと、
ｂ）該第１の検体以外のイオンをフィルタリング除去することによって、第１の電荷質量比を有するフィルタリングされた第１の検体を提供することと、
ｃ）該フィルタリングされた第１の検体を該イオントラップ内に格納することと、
ｄ）該フィルタリングされた第１の検体とともに、第１の較正用イオン集合を該イオントラップ内に格納することであって、該第１の較正用イオン集合は、少なくとも１つの較正用イオンを有し、該第１の較正用イオン集合内の各較正用イオンは、既知の電荷質量比を有する、ことと、
ｅ）検出のために、該フィルタリングされた第１の検体および該第１の較正用イオン集合を該イオントラップから透過させることと、
ｆ）該フィルタリングされた第１の検体を検出し、該フィルタリングされた第１の検体を表す第１の検体質量信号ピークを発生させ、該第１の較正用イオン集合内の各較正用イオンを検出し、該第１の較正用イオン集合内の各較正用イオンのための関連する較正用質量信号ピークを発生させることと、
ｇ）該既知の電荷質量比と、該第１の較正用イオン集合内の各較正用イオンのための該関連する較正用質量信号ピークとを比較することによって、該第１の検体質量信号ピークから導出された第１の質量信号を較正することと
を含む、方法。
【請求項２】
前記イオントラップ質量分光計システムは、前記イオントラップの上流に、質量分析器を備え、
ステップｂ）は、前記第１の検体を透過させる際、該第１の検体以外のイオンをフィルタリング除去するための狭透過窓を提供するように該質量分析器を構成することを含む、請求項１に記載の方法。
【請求項３】
ステップｂ）は、調整された波形を前記イオン群に適用し、前記第１の検体以外のイオンを共鳴励起させ、放出させることを含む、請求項１に記載の方法。
【請求項４】
ステップｂ）で適用された前記調整された波形は、前記第１の較正用イオン集合をフィルタリング除去することなく、前記第１の検体以外のイオンをフィルタリング除去するように調整される、請求項３に記載の方法。
【請求項５】
ステップｂ）後、前記第１の検体を断片化し、複数の第１の検体断片を発生させることをさらに含み、
ステップｃ）は、該複数の第１の検体断片を前記イオントラップ内に格納することをさらに含み、
ステップｅ）は、検出のために、該複数の第１の検体断片を該イオントラップから透過させることを含み、
ステップｆ）は、該複数の第１の検体断片を検出し、複数の第１の検体断片質量信号ピークを発生させることを含み、
ステップｇ）は、前記既知の電荷質量比と、前記第１の較正用イオン集合内の各較正用イオンのための関連する較正用質量信号ピークとを比較することによって、該複数の第１の検体断片質量信号ピークから導出された複数の第１の検体断片質量信号を較正することを含む、請求項１に記載の方法。
【請求項６】
前記イオン群は、第２の検体を備え、前記方法は、
ｂ２）  ｂ）の後、該第２の検体以外のイオンをフィルタリング除去することによって、第２の電荷質量比を有する、フィルタリングされた第２の検体を提供することと、
ｃ２）  ｅ）の後、該フィルタリングされた第２の検体を前記イオントラップ内に格納することと、
ｄ２）  ｅ）の後、該フィルタリングされた第２の検体とともに、第２の較正用イオン集合を該イオントラップ内に格納することであって、該第２の較正用イオン集合は、少なくとも１つの較正用イオンを有し、該第２の較正用イオン集合内の各較正用イオンは、既知の電荷質量比を有する、ことと、
ｅ２）  ｅ）の後、検出のために、該イオントラップから、該フィルタリングされた第２の検体および該第２の較正用イオン集合を透過させることと、
ｆ２）  ｆ）の後、該フィルタリングされた第２の検体を検出し、該フィルタリングされた第２の検体を表す第２の検体質量信号ピークを発生させ、該第２の較正用イオン集合内の各較正用イオンを検出し、該第２の較正用イオン集合内の各較正用イオンのための関連する較正用質量信号を発生させることと、
ｇ２）該既知の電荷質量比と、前記第２の較正用イオン集合内の各較正用イオンのための関連する較正用質量信号ピークとを比較することによって、該第２の検体質量信号ピークから導出された第２の質量信号を較正することと
をさらに含む、請求項１に記載の方法。
【請求項７】
ｄ）は、ｉ）前記第１の電荷質量比よりも高い電荷質量比を有する、対応する第１の検体高区分較正用イオンと、ｉｉ）該第１の電荷質量比よりも低い電荷質量比を有する、第１の検体低区分較正用イオンとを有するように前記第１の較正用イオン集合を選択することを含み、
ｄ１）は、ｉ）前記第２の電荷質量比よりも高い電荷質量比を有する、対応する第２の検体高区分較正用イオンと、ｉｉ）該第１の電荷質量比よりも低い電荷質量比を有する、第２の検体低区分較正用イオンとを有するように前記第２の較正用イオン集合を選択することを含む、請求項６に記載の方法。
【請求項８】
前記第１の検体高区分較正用イオンは、第１の検体高区分電荷質量比を有し、該第１の検体高区分電荷質量比は、前記第１の較正用イオン集合内の全イオン中の最高電荷質量比であって、該第１の検体高区分電荷質量比は、前記第２の電荷質量比よりも低い、請求項７に記載の方法。
【請求項９】
前記イオントラップは、線形イオントラップである、請求項１に記載の方法。
【発明の詳細な説明】
【技術分野】
【０００１】
（分野）
本発明は、イオントラップ質量分光計システムを動作させるための方法に関する。
【背景技術】
【０００２】
（導入）
イオントラップ質量分光計システムの質量割り当て（ｍａｓｓ  ａｓｓｉｇｎｍｅｎｔ）精度は、着目イオンおよび較正物質の両方が、線形イオントラップに収容され、その後、そこから透過される、内部較正を通して、向上させることが可能である。次いで、較正物質のために測定されたスペクトルは、その予め既知の正確な理論値と比較され、着目イオンの測定されたスペクトルのための較正値を提供することが可能である。
【発明の概要】
【課題を解決するための手段】
【０００３】
（概要）
本発明の実施形態の局面によると、イオントラップを有するイオントラップ分光計システムを動作させる方法が提供される。本方法は、ａ）分析のために、イオン群を提供するステップであって、イオン群は、第１の検体を含む、ステップと、ｂ）第１の検体以外のイオンをフィルタリング除去することによって、第１の電荷質量比を有する、フィルタリングされた第１の検体を提供するステップと、ｃ）フィルタリングされた第１の検体をイオントラップ内に格納するステップと、ｄ）フィルタリングされた第１の検体とともに、第１の較正用イオン集合をイオントラップ内に格納するステップであって、第１の較正用イオン集合は、少なくとも１つの較正用イオンを有し、第１の較正用イオン集合内の各較正用イオンは、既知の電荷質量比を有する、ステップと、ｅ）検出のために、フィルタリングされた第１の検体および第１の較正用イオン集合をイオントラップから透過させるステップと、ｆ）フィルタリングされた第１の検体を検出し、フィルタリングされた第１の検体を表す第１の検体質量信号ピークを発生させ、第１の較正用イオン集合内の各較正用イオンを検出し、第１の較正用イオン集合内の各較正用イオンのための関連する較正用質量信号ピークを発生させるステップと、ｇ）既知の電荷質量比と、第１の較正用イオン集合内の各較正用イオンのための関連する較正用質量信号ピークとを比較することによって、第１の検体質量信号ピークから導出された第１の質量信号を較正するステップと、を包含する。
【０００４】
本出願者の教示のこれらおよび他の特長は、本明細書に記載される。
【０００５】
当業者は、以下に記載される図面は、例証目的のみのためのものであることを理解する。図面は、本出願者の教示の範囲をいかようにも制限することを意図するものではない。
【図面の簡単な説明】
【０００６】
【図１】図１は、本発明の第１の実施形態の局面に従って、ある方法を実装するように動作可能な線形イオントラップ質量分光計システムを示す、概略図である。
【図２】図２は、本発明の第２の実施形態の局面に従って、ある方法を実装するように動作され得る第２の線形イオントラップ質量分光計システムを示す、概略図である。
【図３】図３は、本発明の第１の実施形態の第１の局面に従って、図１の線形イオントラップ質量分光計システムを動作させることによって得られる、ｍ／ｚが約１１８、約３２２、および約６２２における非断片化較正用イオンと、検体であるレセルピン（ｍ／ｚが約６０９）の生成イオンの混合物の複合生成イオンスペクトルを示す。
【発明を実施するための形態】
【０００７】
（様々な実施形態の説明）
図１を参照すると、Ｈａｇｅｒ  ａｎｄ  ＬｅＢｌａｎｃ  ｉｎ  Ｒａｐｉｄ  Ｃｏｍｍｕｎｉｃａｔｉｏｎｓ  ｏｆ  Ｍａｓｓ  Ｓｐｅｃｔｒｏｍｅｔｒｙ  Ｓｙｓｔｅｍ  ２００３，１７，１０５６−１０６４に記載されるような線形イオントラップ質量分光計システム１０の概略図が示される。質量分光計システムの動作の間、イオン源１１からのイオンは、オリフィス板１４およびスキマー１６を通して、真空チャンバ１２内に収容され得る。線形イオントラップ質量分光計システム１０は、ロッド集合Ｑ０の後のオリフィス板ＩＱ１、Ｑ１とＱ２との間のＩＱ２、およびＱ２とＱ３との間のＩＱ３とともに、４つの細長のロッド集合Ｑ０、Ｑ１、Ｑ２、およびＱ３を備える。短太の付加的ロッド集合Ｑ１ａは、オリフィス板ＩＱ１と細長のロッド集合Ｑ１との間に提供される。
【０００８】
ある場合には、隣接対のロッド集合間の漏れ磁場は、イオン流を歪曲させる可能性がある。短太のロッドＱ１ａは、オリフィス板ＩＱ１と細長のロッド集合Ｑ１との間に提供され、イオン流を細長のロッド集合Ｑ１内に集束させる。
【０００９】
イオンは、Ｑ０内で衝突冷却され、約８×１０−３トールの圧力に維持され得る。透過質量分光計Ｑ１および下流の線形イオントラップ質量分光計Ｑ３は両方とも、従来の透過ＲＦ／ＤＣ多極質量分光計として動作可能である。Ｑ２は、イオンが、衝突ガスと衝突し、低質量生成物に断片化される、衝突セルである。典型的には、イオンは、多極ロッドに印加されるＲＦ電圧と、末端開口レンズ１８に印加される障壁電圧を使用して、線形イオントラップ質量分光計Ｑ３内に捕捉され得る。Ｑ３は、約３×１０−５トールの圧力において、ならびに１０−５トール〜１０−４トールの範囲内の他の圧力において動作可能である。
【００１０】
図２を参照すると、代替線形イオントラップ質量分光計システム１０の概略図が示される。明確にするために、図１の線形イオントラップ質量分光計システムに関して使用される同一参照番号は、図２の線形イオントラップ質量分光計システムに関しても使用される。簡潔にするために、図１の説明は、図２に関しては繰り返されない。
【００１１】
図２の線形イオントラップ質量分光計システムは、図１と類似するが、図２では、要素ＩＱ２、Ｑ２、ＩＱ３、およびＱ３は、フィルタリング除去されている。さらに、図２のＱ１は、線形イオントラップである。
【００１２】
内部較正の多くの方法は、較正用イオンの連続的測定に続いて、検体イオンの連続的測定を伴う。質量割り当て精度は、捕捉されたイオン集団の数および性質によって影響を受け得るため、本アプローチは、イオン捕捉デバイスに対し制限を有する可能性がある。これらの要因は、通常、連続的アプローチが使用され、質量割り当て精度を制限する場合、較正物質と検体イオンによって異なるであろう。
【００１３】
高質量割り当て精度達成の観点において、イオントラップ質量分光計の制限の１つは、そのようなデバイスの報告される電荷質量比が、空間電荷の影響のため、多くの場合、捕捉されたイオン集団の数および性質に依存することである。捕捉されたイオンの数は、典型的には、最低ｍ／ｚイオンの質量走査の間、より大きいため、イオントラップの最低ｍ／ｚ範囲は、上範囲よりも空間電荷から影響を受け得る（質量走査が、低ｍ／ｚのイオンから開始し、高ｍ／ｚのイオンへと進むと仮定）。高ｍ／ｚイオンが走査されるころには、捕捉されたイオンの数は、通常、著しく低減されている。空間電荷は、イオントラップの見掛けｍ／ｚ質量割り当てと、結果として得られるスペクトルにおけるピーク幅に影響を及ぼし得る。また、イオントラップは、外部質量較正時と分析的走査時との間で生じる温度変化のため、質量較正における変化の影響を受けやすい。
【００１４】
本方法は、線形イオントラップ、特に、図１の線形イオントラップ質量分光計等のＱｑＱＬＩＴの線形イオントラップを使用して実装可能であるが、それらに限定されない。本ＱｑＱＬＩＴ線形イオントラップ（ＬＩＴ）配列は、イオン源からのイオンをＱ１によって質量分析させ、Ｑ２内の衝突活性化を介して、断片化させる（所望に応じて、代替として、Ｑ２を使用して、非断片化イオンをＱ３に単に透過させることが可能である）。イオン源からのイオン流は、ＬＩＴ上流で質量分離可能であるという事実は、各「充填」ステップの間に分離を行なうＱ１質量フィルタの設定を単に変更することによって、継続的「充填」ステップを使用して、異種イオンがＬＩＴ内に収容可能であることを意味する。さらに、Ｑ１から発散するイオンは、所望に応じて、Ｑ２内で断片化されてもよい。したがって、検体および内部較正用イオンは、一連の「充填」ステップを通して、ＬＩＴ（質量走査に先立って）内に収容可能である。ほとんどの場合、検体イオンは、断片化され、生成イオン質量スペクトルを生じさせ、内部較正用イオンは、断片化されずに収容されるが、較正用イオンもまた、所望に応じて、断片化に曝されてもよい。
【００１５】
そのようなプロセスの利点は、適切に選択された較正用イオンによって、検体イオンおよび較正用イオンが、約同量の空間電荷力を受け、質量割り当て精度を向上させることである。また、同時捕捉された内部較正用イオンは、室温および装置温度の変化等、外部質量較正に影響を及ぼし得るシステム誤差を補償することが可能である。
【００１６】
表１は、提示される方法を実装するために使用される、単純化された走査シートの実施例である。ここでは、単一較正用イオンは、試料内のあらゆる他のイオンが拒否され、低並進エネルギーでＱ２を通して透過され、断片化を最小限にし、Ｑ３ＬＩＴ内に収容されるように、狭透過窓を使用して、Ｑ１によって質量フィルタリングされる。また、付加的較正用イオンは、同様に提供可能である。次いで、Ｑ１の設定が即座に変更され、検体イオンの前駆体ｍ／ｚを透過させることが可能であって、Ｑ２内の衝突活性化を介して、断片化され得る。次いで、断片および残留検体前駆体イオンは、Ｑ３ＬＩＴ内に収容される。この時点で、Ｑ３ＬＩＴは、較正用イオンおよび断片検体イオンの両方を含有する。次いで、捕捉されたイオンはすべて、数十ミリ秒間、冷却され、検出のために、検出器３０によって、捕捉されたイオンを軸方向に放出することによって、質量走査を実行可能である。結果として得られる質量スペクトルは、断片化検体イオンと、非断片化較正用イオンからの貢献を受けることになるであろう。同時捕捉された較正用イオンの見掛けｍ／ｚ値を使用して、検体断片イオンのための質量較正を調節可能である。冷却および質量走査ステップに先立って、いくつかの較正用イオンを追加し、質量割り当て精度をさらに向上させることが可能である。
【００１７】
表１：断片化検体イオンに加えて、ｍ／ｚ６２２、３２２および１１８において、非断片化較正用イオンでＱ３ＬＩＴを充填するために必要な種々の時間を示す、試料走査シート。
【００１８】
【表１】
2010537172.tif 000003
結果として得られる質量スペクトルは、図３に示される。このＱ３ＬＩＴスペクトルは、表１の方法を使用して得られ、ｍ／ｚ〜１１８、３２２、および６２２における非断片化較正用イオンと、較正物質として採用されたレセルピン（ｍ／ｚ〜６０９）の生成イオンからの貢献を含有する。
【００１９】
質量割り当て精度向上のための本方法の可用性は、表２に示される。ここでは、着目検体イオンは、６０９．２８１のプロトン化した前駆体イオン分子量を伴う、レセルピンである。レセルピン主要断片イオンは、ｍ／ｚ〜１７４、１９５、３９７、および４４８におけるものである。再較正された質量割り当ては、既知の電荷質量比と、較正物質のそれぞれのための関連する較正用質量信号ピークとを比較することによって、得られた。具体的には、再較正された質量割り当ては、較正用イオンｍ／ｚ理論値間の単純な線形補間を使用することによって、得られた。
【００２０】
表２：本方法を使用して可能な質量割り当て精度の向上を示す。内部較正用イオンは、アスタリスクでマークされている。
【００２１】
【表２】
2010537172.tif 000004
本方法は、概して、ＲＦイオントラップ、静電イオントラップ、およびペニングイオントラップを含む、あらゆるイオン捕捉質量分光計に適用可能である。しかしながら、イオン捕捉デバイスに先立って、またはその上流に、ｍ／ｚ選択のために機能を有する必要はない。図２の線形イオントラップ質量分光計システムの場合のような上流の質量分析器が存在しない場合、調整された波形を使用して、較正用および検体イオンを同時に単離し、次いで、所望に応じて、検体イオンを共鳴励起させ、生成イオン質量スペクトルを発生させることが可能である。
【００２２】
すなわち、特定の着目検体と、その着目検体のために選択された較正用イオンを含む、イオン群は、図２の線形イオントラップ質量分光計システム１０の線形イオントラップＱ１内に格納されていると言える。次いで、検体および較正用イオンの既知のｍ／ｚに基づいて、他のイオンはすべて、半径方向に放出され、較正用イオンおよび検体を単離するように、波形を慎重に調整させ、他のイオンはすべて共鳴励起させる一方、選択された較正用イオンおよび検体イオンを共鳴励起させないことが可能である。これは、調整された波形内にノッチを提供することに行なうことが可能であって、そのようなノッチは、較正用イオンおよび検体のｍ／ｚに対応するように選択される。したがって、これらのイオンは、調整された波形が、他のイオンをフィルタリング除去するように、調整された波形によって励起されず、または、いずれにしも、他のイオンほど励起されないであろう。いったんこれらのステップが実行されると、図１の線形イオントラップ質量分光計システムに関して上述のものと同様に、較正物質および着目検体は、Ｑ１から、末端開口レンズ１８を通過して、検出器３０へと軸方向に放出され得る。
【００２３】
イオントラップは、質量分光計として動作される必要はない。イオントラップを使用して、較正用および検体イオンを蓄積し、次いで、イオントラップの内容物を飛行時間（ＴｏＦ）質量分光計等の下流の質量分析器へと透過させてもよい。衝突セルが蓄積線形イオントラップとして動作される、ＱｑＴｏＦ等の装置は、質量割り当て精度の向上を達成するために、このように動作させることが可能である。
【００２４】
本発明の異なる実施形態のさらなる局面によると、複数の検体が、上述のレセルピンイオンと同様に処理されてもよい。すなわち、第１の検体（上述の実施例におけるレセルピン）が、その断片および較正物質とともに、Ｑ３内に格納された後、図１の質量分光計システム１０を使用して実装される本発明の局面に従う方法の場合、Ｑ１を使用して、第２の検体以外のイオンをフィルタリング除去することによって、第２の電荷質量比を有する、フィルタリングされた第２の検体を提供することが可能である。次いで、いったん第１の検体、その断片、およびその較正物質が、Ｑ３から軸方向に透過されると、第２の検体は、その断片（第２の検体は、Ｑ２内で断片化されたと仮定）と、第２の検体のために選択された較正物質とともに、Ｑ３内に格納され得る。次いで、第１の検体レセルピンに関して上述の場合と同様に、第２の検体、第２の断片集合（該当する場合）、および第２の検体のために選択された第２の較正用イオン集合と可能性としてその断片は、検出のために、検出器３０によって、線形イオントラップＱ３から透過させることが可能である。検出後、第２の検体質量信号ピークから導出された第２の質量信号は、既知の電荷質量比と、第２の較正用イオン集合内の各較正用イオンのための関連する較正用質量信号ピークとを比較することによって、較正可能である。第２の検体の断片のための質量信号は、同様に較正可能である。
【００２５】
較正用イオンを選択するために使用される基準は、異なる着目検体によって異なってもよい。具体的には、較正用イオンは、特定の検体と、その着目される断片のいずれかを「区分」するように選択可能である。特定の検体イオンを区分するために、検体イオンのために選択された較正用イオン集合は、検体の電荷質量比よりも若干高い電荷質量比を有する、高区分較正用イオンを含み得る。また、本検体のための較正用イオン集合は、検体の電荷質量比よりも若干低い電荷質量比を有する、低区分較正用イオンを含み得る。当然ながら、検体の断面も着目される場合、較正物質もまた、考慮断片とともに選択されるべきである。上述の実施例では、第１の着目検体は、レセルピンであって、約６０９のｍ／ｚを有し、レセルピンイオンもまた、Ｑ２内で断片化された。結果として得られる主要断片イオンは、約１７４、１９５、３９７、および４４８の電荷質量比を有する。故に、第１の較正用イオン集合は、レセルピンイオン自体だけではなく、断片イオンも区分するように選択された。具体的には、検体レセルピンのために選択された第１の較正用イオン集合は、１１８、３２２、および６２２の電荷質量比を有していた。したがって、レセルピンイオン自体と、その２つのより大きい質量断片（３９７および４４８）は、約３２２および６２２の電荷質量比を有する較正用イオンによって区分されるであろう。同様に、約１７４および１９５の電荷質量比を有する小断片イオンは、約１１８および３２２の電荷質量比を有する較正用イオンによって区分されるであろう。
【００２６】
第２の着目検体が選択される場合、本検体は、恐らく、レセルピンよりも高い電荷質量比を有し、したがって、６２２よりも高い電荷質量比を有し、第１の検体レセルピンのために選択された第１の較正用イオン集合内の全較正用イオン中最高電荷質量比であった。故に、第２の検体のために選択された第２の較正用イオン集合は、６２２よりも高く、第２の着目検体の電荷質量比よりも実際に高い電荷質量比を有する、較正用イオンを含み得る。残りの較正物質は、第２の着目検体の主要断片の電荷質量比に基づいて、選択されるであろう。すなわち、これらの断片のそれぞれの場合、第２の較正用イオン集合は、第２の検体電荷質量比または断片電荷質量比よりも若干高い電荷質量比を有する、高区分較正用イオンと、第２の検体または断片の電荷質量比よりも低い電荷質量比を有する、低区分較正用イオンとを含むように選択され得る。
【００２７】
着目検体を区分するための較正用イオンの選択に加えて、較正用イオンはまた、例えば、Ｊ．Ｗｅｌｌｓ，Ｗ．ＰｌａｓｓおよびＲ．Ｃｏｏｋｓ「Ｃｏｎｔｒｏｌ  ｏｆ  Ｃｈｅｍｉｃａｌ  Ｍａｓｓ  Ｓｈｉｆｔｓ  ｉｎ  ｔｈｅ  Ｑｕａｄｒｕｐｏｌｅ  Ｉｏｎ  Ｔｒａｐ  ｔｈｒｏｕｇｈ  Ｓｅｌｅｃｔｉｏｎ  ｏｆ  Ｒｅｓｏｎａｎｃｅ  Ｅｊｅｃｔｉｏｎ  Ｗｏｒｋｉｎｇ  Ｐｏｉｎｔ  ａｎｄ  ｒｆ  Ｓｃａｎ  Ｄｉｒｅｃｔｉｏｎ」、Ａｎａｌｙｔｉｃａｌ  Ｃｈｅｍｉｓｔｒｙ、２０００、Ｖｏｌ．７２、Ｎｏ．１３、２６７７−２６８３に記載のように、同一または類似物理的および化学的特性を有するように選択されるべきである。
【００２８】
本発明の他の変形例および修正例も可能である。例えば、上述の説明は、線形イオントラップを指すが、本発明の一部の実施形態のいくつかの局面を実装するために使用されるイオントラップは、線形イオントラップである必要はないことを理解されたい。加えて、上述の説明と、図１および２は、イオンを軸方向放出によって、質量分析を企図するが、これは、必須ではない。例えば、質量分析は、例えば、Ｓｃｈｗａｒｔｚ他、Ｊｏｕｒｎａｌ  ｏｆ  Ａｍｅｒ  Ｓｏｃ  Ｍａｓｓ  Ｓｐｅｃｔｒｏｍ  ２００２、１３、６５９−６６９に記載のように、半径方向放出によって、提供されてもよい。あらゆるそのような修正例および変形例は、特許請求の範囲によって定義されるように、本発明の領域および範囲内にあると考えられる。
【図１】
2010537172.tif 000005
【図２】
2010537172.tif 000006
【図３】
2010537172.tif 000007
【国際調査報告】
2010537172.tif 000008
2010537172.tif 000009
2010537172.tif 000010